(57)【要約】【課題】風防板を方である前側風防板は他方である後側風防板との二つに分割することで、展開時の閉塞面積は従来どおりのままで、従来収納しきれなかった風防板を取っ手の手前まで収納することができる。このように、風防板を取っ手の手前まで収納することで、コントローラの操作と、温度表示の目視が容易となった。【解決手段】上部を開放したショーケース本体の片側にはカウンタ部１６を形成し、このカウンタ部１６に沿って風防板を出し入れ自在に収納する冷気循環式の片面平形オープンショーケースにおいて、風防板を二つに分割し、一方である前側風防板１８ａは他方である後側風防板１８ｂに対して重合するようにスライド自在に係合させた。【選択図】        図１
2011250987.tif 000002
【特許請求の範囲】
【請求項１】
上部を開放したショーケース本体の片側にはカウンタ部を形成し、このカウンタ部に沿って風防板を出し入れ自在に収納する冷気循環式の片面平形オープンショーケースにおいて、
風防板を二つに分割し、一方である前側風防板は他方である後側風防板に対して重合するようにスライド自在に係合させたことを特徴とする片面平形オープンショーケース。
【請求項２】
前側風防板は左右側部にコ字形レール材を設け、このコ字形レール材を後側風防板の側部に嵌合させる請求項１記載の片面平形オープンショーケース。
【発明の詳細な説明】
【技術分野】
【０００１】
本発明は、冷凍食品や冷蔵食品等の陳列に、上部を開放した平型の冷凍・冷蔵オープンショーケースである片面平形ショーケースに関する。
【背景技術】
【０００２】
スーパーマーケットやコンビニエンスストア等のセルフサービス方式の食品販売店では、冷凍食品や冷蔵食品等の陳列に、上部を開放した平型の冷凍・冷蔵オープンショーケースがよく用いられている。
【０００３】
このような平型オープンショーケースの１つとして、図４〜図８に示すように、上部を開放したショーケース本体１の片側にはカウンタ部１６を形成した片面平形ショーケースがある。
【特許文献１】特開２００９−２２６０５８号公報
【０００４】
図８に示すように、ショーケース本体１は外箱１ａと内箱２とからなり、外箱１ａと内箱２の間を循環風路空間３として確保し、この循環風路空間３の一端を吸込口４、他の一端を吹出口５とし形成して、ショーケース本体１の上面開放面に臨ませる。図中６は吹出口５に配設する整流板である。
【０００５】
内箱２の内側は庫内として、底部にベースデッキ７を配し、その上にスノコ８を配置して商品収納スペース９として形成する。
【０００６】
前記循環風路空間３には、冷凍機の蒸発器（エバポレータ）１０を設置し、蒸発器（エバポレータ）１０の上流側に配置したファンプレナム１１により、送風ファン１２を支承した。
【０００７】
外箱１の下部は機械室１３となり、ここに圧縮器１４、凝縮器１５等を配置する。
【０００８】
上記の構成で、ショーケースの保冷運転時には図示矢印のように冷風が循環送風され、その循環通風の途上で蒸発器（エバポレータ）１０との熱交換により低温になった冷気が庫内に吹き出して、ケース本体の上面開放面を閉塞する冷気エアーカーテンを形成し、これが商品収納スペース９に陳列した商品を保冷する。
【０００９】
図６はカウンタ部１６部分の詳細を示すもので、カウンタ部１６はカバーによりケースに形成され、ここを風防板収納部１７として、風防板１８が出し入れ自在に収納される。
【００１０】
風防板１８はアクリル板によるもので、図７に示すように、前端側の下側に取っ手１９を、上側に露受け２０を取り付け、後端側の下側に補強金具２１を取り付けた。
【００１１】
ショーケース本体１には上面開放面の内側左右にレール２２を設け、レール２２に載って前記風防板１８はスライドする。
【００１２】
カウンタ部１６の下側には、操作部としてコントローラ２３を設けている。図中２４は照明である蛍光灯、２５はロールブラインド構造のナイトカバーである。
【００１３】
風防板１８は手動でスライドさせる構造となっていて、展開する際は、風防板１８の取っ手１９を引き出すことで、風防板収納部１７から手前に引き出され、収納する際は、押し戻すことで、風防板収納部１７に差し入れる。
【発明の開示】
【発明が解決しようとする課題】
【００１４】
従来の風防板１８は、収納スペースである風防板収納部１７に対してサイズが大きく、収納した際、風防板収納部１７からはみ出す構造となっており、下記欠点がある。
１．カウンタ部１６のコントローラ２３の操作が困難である。
２．カウンタ部１６のコントローラ２３の温度表示の視認が困難である。
【００１５】
本発明は前記不都合を解消し、限られた収納スペースでも従来よりはみ出す長さを少なくし、カウンタ部のコントローラ)の操作性を向上し、温度表示の目視を容易とした片面平形オープンショーケースを提供することにある。
【課題を解決するための手段】
【００１６】
請求項１記載の本発明は、上部を開放したショーケース本体の片側にはカウンタ部を形成し、このカウンタ部に沿って風防板を出し入れ自在に収納する冷気循環式の片面平形オープンショーケースにおいて、風防板を二つに分割し、一方である前側風防板は他方である後側風防板に対して重合するようにスライド自在に係合させたことを要旨とするものである。
【００１７】
請求項１記載の本発明によれば、風防板を二つに分割し、一方である前側風防板は他方である後側風防板に対して重合するようにスライド自在に係合させたので、前側風防板と後側風防板とを重合させて、収納することができ、収納しきれなかった部分まで収納することができる。
【００１８】
請求項２記載の本発明は、前側風防板は左右側部にコ字形レール材を設け、このコ字形レール材を後側風防板の側部に嵌合させることを要旨とするものである。
【００１９】
請求項２記載の本発明によれば、前側風防板は他方である後側風防板に対して重合するようにスライド自在に係合させるのに、側風防板は左右側部にコ字形レール材を設け、このコ字形レール材を後側風防板の側部に嵌合させることで簡単に組み合わせることができる。
【発明の効果】
【００２０】
以上述べたように本発明の片面平形オープンショーケースは、風防板を一方である前側風防板と他方である後側風防板との二つに分割することで、展開時の閉塞面積は従来どおりのままで、従来収納しきれなかった風防板を取っ手の手前まで収納することができる。このように、風防板を取っ手の手前まで収納することで、コントローラの操作と、温度表示の目視が容易となった。
【発明を実施するための最良の形態】
【００２１】
以下、図面について本発明の実施形態を詳細に説明する。図１は本発明の片面平形オープンショーケースの１実施形態を示すものとして、風防板展開時の要部の縦断側面図、図２は風防板収納時の要部の縦断側面図で、前記従来例を示す図６と同一構成要素には同一参照符号を付したものである。
【００２２】
本発明は、上部を開放したショーケース本体１の片側にはカウンタ部１６を形成し、このカウンタ部１６に沿って風防板を出し入れ自在に収納する冷気循環式の片面平形オープンショーケースである。
【００２３】
なお、片面平形オープンショーケースの全体構造二ついては、図８について説明した通りであり、ここでの説明は省略する。
【００２４】
本発明は、図３に示ように前記風防板は、一方である前側風防板１８ａと後側風防板１８ｂとの二つに分割した。
【００２５】
前側風防板１８ａは本体部であるアクリル板の前端側の下側に取っ手１９を、上側に露受け２０を取り付け、また、左右側部に開口面を内側としてコ字形レール材２６を設け、後端側には断面鉤形の引掛け具２７を設けた。
【００２６】
後側風防板１８ｂは本体部であるアクリル板の前端側に断面鉤形の引っ掛け具２８を設け、後端側の下側に補強金具２１を取り付けた。
【００２７】
前記前側風防板１８ａと後側風防板１８ｂとの組み合わせは、前側風防板１８ａのコ字形レール材２６を後側風防板１８ｂの側部に嵌合させ、前側風防板１８ａが後側風防板１８ｂの上を滑るようにする。
【００２８】
なお、コ字形レール材２６はスペーサとしての役割もあり、これがショーケース本体１の上面開放面の内側左右に設けたレール２２の上に載り、手動でスライドさせる構造となっている。
【００２９】
展開する際は、図１に示すように前側風防板１８ａの取っ手１９を引き出すことで、始めに前側風防板１８ａが引き出され、続いて前側風防板１８ａに取付いている引っ掛け具２７が、後側風防板１８ｂに取付いている引っ掛け具２８を引っ掛け、前側風防板１８ａ、後側風防板１８ｂを手前に引き出す。
【００３０】
収納する際は、前側風防板１８ａを押し戻すことで、前側風防板１８ａに取付いている取っ手１９が後側風防板１８ｂの引っ掛け具２８を押し、風防板全体が後方へ押され収納される。
【００３１】
前側風防板１８ａにはスペーサ(左右)ともなるコ字形レール材２６が取付いているので、後側風防板１８ｂの上に重なり収納される。
【００３２】
また、スペーサ(左右)ともなるコ字形レール材２６が前側風防板１８ａを浮かせているので、前側風防板１８ａと後側風防板１８ｂはラップしても干渉しない。
【図面の簡単な説明】
【００３３】
【図１】本発明の片面平形オープンショーケースの１実施形態を示すものとして、風防板展開時の要部の縦断側面図である。
【図２】本発明の片面平形オープンショーケースの１実施形態を示すものとして、風防板収納時の要部の縦断側面図である。
【図３】本発明の片面平形オープンショーケースで使用する風防板の側面図である。
【図４】本発明の片面平形オープンショーケースの風防板展開時の斜視図である。
【図５】本発明の片面平形オープンショーケースの風防板収納時の斜視図である。
【図６】従来例を示す側面図である。
【図７】従来の風防板を示す側面図である。
【図８】片面平形オープンショーケースの全体構造を示す縦断側面図である。
【符号の説明】
【００３４】
１  ショーケース本体    １ａ  外箱
２  内箱                ３  環風路空間
４  吸込口              ５  吹出口
６  整流板              ７  ベースデッキ
８  スノコ              ９  商品収納スペース
１０  蒸発器（エバポレータ）
１１  ファンプレナム    １２  送風ファン
１３  機械室            １４  圧縮器
１５  凝縮器            １６  カウンタ部
１７  風防板収納部      １８  風防板
１８ａ  前側風防板      １８ｂ  後側風防板
１９  取っ手            ２０  露受け
２１  補強金具          ２２  レール
２３  コントローラ      ２４  蛍光灯
２５  ナイトカバー      ２６  コ字形レール材
２７  引掛け具          ２８  引っ掛け具
【図１】
2011250987.tif 000003
【図２】
2011250987.tif 000004
【図３】
2011250987.tif 000005
【図４】
2011250987.tif 000006
【図５】
2011250987.tif 000007
【図６】
2011250987.tif 000008
【図７】
2011250987.tif 000009
【図８】
2011250987.tif 000010